(57)【要約】【課題】個人情報を適切に取り入れ、それを分散処理などや、サーバ等にて適時に適宜処理するタグシステムを提供することが望まれていた。【解決手段】個人情報が入力されたタグが取りつけられたタグ付き個人情報担体と、読取りのための信号を送信し、タグ内の情報を読取る読取り部、読取った情報を表示する表示部及び電話回線に接続する電話部が一体化され、携帯可能なリーダとを備えるタグシステム、および周波数ホッピングされた信号を受信した際に、受信後、所定時間経過後に少なくとも前記個人情報の一部を含む情報を送信するタグ付き個人情報担体を提供する。【選択図】図１
2004005202.tif 000002
【特許請求の範囲】
【請求項１】
個人情報が入力されたタグが取りつけられたタグ付き個人情報担体と、読取りのための信号を送信し、タグ内の情報を読取る読取り部、読取った情報を表示する表示部及び電話回線に接続する電話部が一体化され、携帯可能なリーダとを備えるタグシステム。
【請求項２】
前記読取りのための信号が、周波数ホッピングされた信号であることを特徴とする請求項１記載のタグシステム。
【請求項３】
電話回線で前記リーダと通信可能なサーバを備えることを特徴とする請求項１または請求項２記載のタグシステム。
【請求項４】
個人情報が入力されたタグが取りつけられたタグ付き個人情報担体であって、周波数ホッピングされた信号を受信した際に、受信後、所定時間経過後に少なくとも前記個人情報の一部を含む情報を送信するタグ付き個人情報担体。
【発明の詳細な説明】
【０００１】
【発明の属する技術分野】
本発明は、担体に取付けられた非接触ＩＣタグを用いたタグシステム及びタグ付き個人情報担体に関するものであって、リーダから発せられた質問信号を受信し、応答信号によって、様々な個人情報の管理を行なう非接触ＩＣタグを用いたタグシステム及びタグ付き個人情報担体に関する。
【０００２】
【従来の技術】
従来から、タグとリーダ間においてデータ交信が行われることは珍しくなく、例えば特開平１１−３５３３３３、特開平１１−２７２１８０等で開示されている技術によって行われるものであった。このときの、タグとリーダ間におけるデータ交信のプロトコルについては、固有のプロトコルで通信が行われているのが現状であった。
【０００３】
他方、個人情報担体としては、従来から各種のものがあり、名刺、名札、ＩＤカード、会員証、診察券、保険証、免許証、年金手帳、社員証、クレジットカード、キャッシュカード等各種カード、バッチなど、従来からカード形状に限られず各種のものが存在していた。
【０００４】
ここで、この様な個人情報担体をカード形状化する、しないに拘わらず、各種電子化する事が、名刺、名札、ＩＤカード、会員証、診察券、保険証、免許証、年金手帳、社員証、クレジットカード、キャッシュカード等各種カード、バッチなど、従来からのカード形状に限られずデータをタグ化して内蔵させる、もしくはタグを付属させ、タグに同等のデータを併せて持たせる構成とする事が提案されていた。
【０００５】
その場合の構成としては、リーダとの交信が適切になされる事を中心として考えられたものである。従って、リーダではタグとの交信結果を内部に保持し、それをバッチ処理して他にデータを移行させるか、データ処理プログラムもしくはデータ変換プログラムを稼働させ、その得られた結果を表示、もしくはその結果をもとに各種処理が行われていた。
【０００６】
しかし、タグとリーダ間におけるデータ交信のプロトコルについては、固有のプロトコルで通信が行われていたため、そのデータは通信特性において汎用性がなく、単にリーダからパソコンにデータ入力がなされていただけであり、分散処理等の高度処理には専用のプログラムが個別案件毎に必要であったために、実質上不可能であった。
【０００７】
【発明が解決しようとする課題】
タグとリーダ間におけるデータ交信のプロトコルについては、固有のプロトコルで通信が行われていたため、そのデータは通信特性において汎用性がなく、単にリーダからパソコンにデータ入力がなされていただけであったために、個人情報を適切に取り入れ、それを分散処理などや、サーバ等にて適時に適宜処理するタグシステムを提供することが求められていた。
【０００８】
特に、この様な個人情報の実際的な利用において、混信や妨害に強く、トラブルの少ないタグシステムとを提供することが求められていた。
【０００９】
また、この様な、リーダ自身にはない情報を利用することや、リーダのみでは処理しえないデータ処理をする事が可能なタグシステムを提供することが求められていた。
【００１０】
さらに、この様なタグシステムの構成を実現できるタグ付き個人情報担体を提供することが求められていた。
【００１１】
【課題を解決するための手段】
本願発明における請求項１記載の発明は、個人情報が入力されたタグが取りつけられたタグ付き個人情報担体と、読取りのための信号を送信し、タグ内の情報を読取る読取り部、読取った情報を表示する表示部及び電話回線に接続する電話部が一体化され、携帯可能なリーダとを備えるタグシステムを提供するものである。
【００１２】
また、請求項２記載の発明は、前記読取りのための信号が、周波数ホッピングされた信号であることを特徴とする請求項１記載のタグシステムを提供するものである
【００１３】
また、請求項３記載の発明は、電話回線で前記リーダと通信可能なサーバを備えることを特徴とする請求項１または請求項２記載のタグシステムを提供するものである。
【００１４】
また、請求項４記載の発明は、個人情報が入力されたタグが取りつけられたタグ付き個人情報担体であって、周波数ホッピングされた信号を受信した際に、受信後、所定時間経過後に少なくとも前記個人情報の一部を含む情報を送信するタグ付き個人情報担体を提供するものである。
【００１５】
なお、特許請求の範囲に記載された用語の意義を以下補足説明する。
【００１６】
（１）タグを取り付けたタグ付き個人情報担体
名刺、名札、ＩＤカード、会員証、診察券、保険証、免許証、年金手帳（タグ内に情報を書き込めるため、手帳の形でなくてもよくなり、年金証と呼べるような形態にすることが可能）、社員証、クレジットカード、キャッシュカード等各種カード、バッチ。カード形状に限られない。
【００１７】
また、タグの取り付け方法も、内部に入れて製造、接着、接合、はめ込み、ホルダーに入れる、等、分離の必要性、分離使用が認められるか、認証の必要性等から適宜取り付け態様を選択可能である。
【００１８】
（２）タグ
：形態
基本は、ＩＣチップ＋アンテナでよい。アンテナは別体でも、ＩＣチップ上に形成してもよい。
【００１９】
：通信方式
特に限定されないが、周波数ホッピングされた信号となる通信方式、特にブルートゥース（Ｂｌｕｅｔｏｏｔｈ、登録商標、以下同じ）通信方式が好ましい。
【００２０】
：タグ内の情報
氏名、会社名、社章、所属部署、会社及び自宅の郵便番号、住所、電話番号、ＦＡＸ番号、Ｅメールアドレス、ＵＲＬ、個人ＩＤ、会員番号、生年月日、年齢、職歴、所持資格、免許番号、入社（入会）年月日、血液型、緊急連絡先、健康保険証番号、基礎年金番号、銀行口座番号、暗証番号など、各種の個人情報が考えられるので、用途により適宜選択可能である。
【００２１】
：タグ内の情報の記憶機能
個人情報の変更や付加に備えて、リード・ライト可能であることが好ましいが、リードオンリーでも可。
【００２２】
：読取りのための信号を受信して応答信号をリーダに送信する回路
一般には、アンテナからリードオンリーメモリ（以下ＲＯＭと称する）、ランダムアクセスメモリ（以下ＲＡＭと称する）、演算処理部（以下ＣＰＵと称する）、もしくはこれらの結線回路からなる回路により行われるのが通例であり、多くの場合は、少なくともリーダからの質問信号を受信したアンテナの受信信号を受けて、その信号に応答する信号を送信するためのアンテナへの信号を供給する回路である。
【００２３】
：その他
各種機能、例えばリーダからの信号を受信する以外の各種信号を受信した場合、別の機能を発揮するものであっても構わない。
【００２４】
また、非接触方式ＩＣタグは、配布の様に回収が前提となっていない担体の他、回収が前提となっていない名刺代わりとなっている場合などでも構わない。
【００２５】
したがって、バッチなどにチップを埋め込んでおけば、リードオンリー非接触方式ＩＣタグでもよい。
【００２６】
これにより、個人情報の各種用途に合わせて適宜選択可能である。
【００２７】
（３）リーダ
：形態
携帯可能な端末、携帯電話、固定設置方式をそれぞれの目的に応じて使用することが可能。携帯電話にリーダ機能を持たせたものであれば、読み出した結果を電話回線でサーバや携帯電話に送信することができ、好ましい。例えば遠方にあるサーバにも確実に送信することが可能。
【００２８】
：機能
携帯型であり、読取り部が読取りのための信号を送信し、タグ内の情報を読取る読取り部、読取った情報を表示する表示部及び電話回線に接続する電話部が一体化され、携帯可能なことが必要である。
【００２９】
（４）リーダ所持者
リーダ所持者はリーダに表示された情報を得る。場合によっては表示に対応して暗証番号入力等の操作を行う。
【００３０】
（５）サーバ（必須ではない）
リーダから送信された情報を蓄積したり、場合によってはリーダから必要な情報を送らせる。さらには、タグを読取るためのソフトを蓄積しておき、リーダがダウンロードすることができる。
【００３１】
例：リーダ機能を有する携帯電話で、キャッシュカード内のタグから、銀行口座番号を読み出し、銀行のサーバにアクセスし、残高紹介や決済を行う。
例：タグに書きこんでおく情報は、氏名　○バイト、住所　○バイト、電話番号
○バイト、…、フリーメモＡ　○バイト、フリーメモＢ　○バイトというようにある程度固定しておくことができるが、メモリーの性能アップ、要求項目の増加や変更等によって変わっていくため、読取りソフトをバージョンアップすることにより、対応することができる。携帯電話と一体になったリーダであれば、簡単にダウンロードが可能である。
【００３２】
（６）表示部
表示部とは、個人情報を応答信号から変換し、もしくは変換しないで得て、そのなかから選択し、もしくは選択しないで表示する機能を持つ部分を指し、その表示内容は、指示により変更できるものでも、固定であるものでも、順次表示できるものであっても構わない。また、この表示部の構成は、液晶表示素子の他、エレクトロルミネッセンス素子、いわゆるペーパーディスプレイなどでも、その用途に応じ表示の維持時間や表示即応性、消費電力、価格等を考慮して適宜選ぶ事が可能である。
【００３３】
（７）読取った情報
：読取った情報は、下記の各方法があげられる。
▲１▼個人情報がそのまま応答信号となる場合
▲２▼個人信号から得られる情報（例えばコード）が、記憶手段に記憶されたコード−個人情報の対応データと照合され、個人情報が得られる場合
▲３▼個人信号から得られる情報から演算して個人情報を得る場合
【００３４】
また、その読取った情報の利用方法としては、
▲１▼　応答信号をそのまま表示する方法
▲２▼　応答信号をそのまま、もしくは変換して記憶手段に記憶、蓄積し、個人情報を把握したい時に表示手段に表示させる方法などがある。
【００３５】
その他、警告音発生など、音声的に知らせる等の、各種個人情報の把握に役立つ把握したい情報を提示する手段を用いる事が可能である。
【００３６】
さらに、この機能は、リーダ自体がその機能を有するものでも、リーダから応答信号をそのままもしくはこの応答信号が変換されたものを受けた情報を電話回線に通信を行うものであっても構わない。
【００３７】
（８）電話部
リーダ内に読取り部と一緒に一体化して設けられたもので、電話回線に接続できる各種のものがあげられる。
【００３８】
（９）電話回線に接続
電話回線に接続とは、ダイアルアップ回線、ＩＳＤＮ回線、ＦＴＴＨ回線等の、携帯電話回線やＰＨＳ回線ではない、いわゆる固定系回線に接続可能ものがあげられる。
【００３９】
また、その接続方式としては、各種接続方式が可能である。従って、その信号伝送方式やその動作タイミングなどを問うものではない。
【００４０】
（１０）一体化
一体化とは、特段の通信手段を使わなくとも情報を共有できる状態にあることをいう。
【００４１】
（１１）周波数がホッピングされた信号
周波数がホッピングされた信号で、例えばブルートゥース通信方式に準拠した信号があげられる。
【００４２】
周波数ホッピングされた信号であるのは、例えば、読取りのための質問信号だけでもよく、その場合、応答信号は一定周波数の信号でよい。また、応答信号のみでもよいが、両方の方が好ましい。
【００４３】
（１２）読取りのための信号を送信する
タグに対して個人情報をリーダが要求する段階で、個人情報が必要とする個別の事情が発生した段階で行われるものでも、定期的に個人情報を収集するものであっても構わない。
【００４４】
（１３）所定時間経過後
具体的時間の長さを示すものではなく、暗証番号の確認や、取消の意志表示がないことが確認できるに十分な時間の経過後という意味である。
【００４５】
（１４）ゲート（必須ではない）
例えば、携帯不可能な、タグと交信可能な機器をリーダとは別途設ける事も可能である。その機能としては、リーダに準ずるものであるが、固定であることを積極利用して使用する事も可能である。具体的には、入退場等の際に、一括して管理する手法を併用することができ、その場合はゲートを用いることも可能。例えば、ゲートで入場者を読取り、来場情報をサーバに送る、ゲートが直接タグに情報を書きこむ、という手法が可能である。
【００４６】
また、この様なゲートは、リーダと関連して動作するものの他、独立してタグと交信可能なものであっても構わない。
【００４７】
【発明の実施の形態】
本発明に係るタグシステムおよびタグ付き個人情報担体の実施形態を、以下に説明する。
【００４８】
タグシステムは、個人情報担体と、携帯可能なリーダとからなるのが基本であるが、その他サーバを備えるのが一般的であるが、必ずしも必要はない。また、特定の場所の範囲内において利用する場合は、ゲート等の構成も含めることは可能なタグシステムである。この場合、リーダとは別途に個人情報担体と直接交信する構成も可能である。
【００４９】
従って、個人情報が入力されたタグが取りつけられたタグ付き個人情報担体と、読取りのための信号を送信し、タグ内の情報を読取る読取り部、読取った情報を表示する表示部及び電話回線に接続する電話部が一体化され、携帯可能なリーダとを備えるタグシステムであれば、各種変形実施可能である。
【００５０】
従って、読取りのための信号が、周波数ホッピングされた信号であるタグシステムの構成も可能であり、効果も高い。
【００５１】
特に、電話回線で前記リーダと通信可能なサーバを備えることにより、更に高度な効果が期待できる。
【００５２】
また、個人情報が入力されたタグが取りつけられたタグ付き個人情報担体であって、周波数ホッピングされた信号を受信した際に、受信後、所定時間経過後に少なくとも前記個人情報の一部を含む情報を送信するタグ付き個人情報担体のみでも効果が期待できる。
【００５３】
【実施例】
次に、本発明を図１から図６に示す実施例に基づいて詳細に説明する。
【００５４】
図１は、本発明のタグシステムの全体動作説明図、図２は、本発明のタグシステムにおける情報伝達の動作説明図、図３は、ゲートを用いた場合を示す動作説明図、図４は、個人情報担体の斜視図、図５は、本発明のタグで使用される非接触方式ＩＣタグの平面説明図、図６は図５のＸ−Ｘ線断面説明図である。
【００５５】
本発明のシステムの説明に先だって、本発明で使用される非接触式ＩＣタグを図５、図６に基づいて説明する。非接触式非接触方式ＩＣタグ１は、非接触方式でデータの送受信を行うアンテナが設けられているアンテナ部２と情報記憶部を有するＩＣ回路３を基材シート４内に内包している。
【００５６】
なお、そのものと一体化している場合はその表面に印字可能な構成が求められ、また、必要に応じてこの基材シート４の表裏面に入場者名を記載するために、シート５、６で挟持してなる上質紙または筆記適性をもたせた樹脂でサンドイッチされている構成が求められる場合がある。
【００５７】
その場合の表面の印字部は、トナー印字適性を持たせるため各種樹脂や導電材による表面コートが施される場合が多い。
【００５８】
例えば、ノンインパクトによるトナー印字の際、転写性を向上させるために導電材を塗工し、タグ表面の抵抗値を１．０×１０の１１乗オーム以下に設定したり、あるいは、トナーの定着性を向上させるために各種の樹脂を塗工し、アンカーコート層を形成することにより、トナーの印字適性を向上させることができる。
【００５９】
また、表面には、耐熱インクを塗布してもよく、この耐熱インクのうち少なくとも黒インク等で印字欄や模様等が構成される場合は、カーボンレスインクで構成されてなるものである。
【００６０】
これにより、タグ表面へのノンインパクト方式、例えば静電写真印刷によるトナー印字の際、黒印刷部の畜熱を防止でき、ＩＣ回路３を熱圧からの影響が回避できる。この場合の耐熱インクは、紫外線（以下ＵＶと称する）硬化インクが、使用されており、ＵＶランプ等により乾燥されてなるもので、カード表面へのノンインパクトによるトナー印字の際、印字部のインクが溶けることなく安定した印字が行えるとともに、印字部の内面側のＩＣ回路３を熱圧から保護できる。
【００６１】
もちろん個人情報の種類等により、印字や筆記、表記が必要のない場合は、この様な工夫は不要である事は当然である。
【００６２】
次に、システムに係る処理は、図１から図４を用いて説明する。
【００６３】
まず、図１を用いて、本発明の個人情報管理システムの全体動作説明を行う。
【００６４】
非接触方式ＩＣタグ２１は、信号送受信用のアンテナ２２と、リーダ２４からの質問信号２５を受信して応答する応答信号２６を、内部の個人情報を含む情報２３を元に作成して、リーダ２４に送信する。
【００６５】
他方リーダ２４では、何らかのタイミングで質問信号２５が発信されると、アンテナ２２にて受信して情報２３にアクセス事でアンテナ２２に信号が送られ、応答信号２６をアンテナ２２から発信される。この応答信号２６をリーダ２４が読取り部２７で受信すると、この応答信号２６に基づき個人情報を何らかの形で把握する。
【００６６】
なお、図１では応答信号２６は読取り部２７と一体化している表示部２８と電話部２９と情報を共有し、その中の電話部２９で電話回線３０を介して加入回線３１等に送信される。このとき応答信号２６に基づき個人情報が求められるが、リーダ２４内でこの個人情報を必要に応じて変換または取捨選択するものであっても構わない。また、その中の表示部２８で表示されるが、リーダ２４内でこの個人情報を必要に応じて変換または取捨選択するものであっても構わなく、また、操作者により選択可能であっても構わない。
【００６７】
また、このリーダ２４は、携帯電話などの機器により実現するものであっても構わないし、他の汎用機器の転用や、専用機器であっても構わない。
【００６８】
また、図２を用いて、本発明の非接触方式ＩＣタグの動作説明図を行う。
【００６９】
またこの非接触方式ＩＣタグ２１は、リーダ２４からの読取りのための信号である質問信号２５に対応して応答信号２６を発する。リーダ２４ではこの応答信号２６を元に表示３４をなすとともに、電話回線３０にてサーバ３２に転送３３する。
【００７０】
この様な構成は、図３に示す様に、バッチ４１として使用するタグが取り付けられたタグ付き個人情報担体は、表示素子５１を有する使用するリーダ４２として使用する携帯電話と適宜信号交換し、また、その交換の結果をサーバ４３にその携帯電話機能を利用して転送する機能を持つ。
【００７１】
また、このバッチ４１として使用するタグが取り付けられたタグ付き個人情報担体は、同時にゲート４４とも適宜信号交換し、その交換の結果をサーバ４３にその携帯電話機能を利用して転送する機能を持つ。この場合は、ゲート４４通過時にバッチ４１として使用するタグが取り付けられたタグ付き個人情報担体と交信し、その情報とともにリーダ４２経由で得られた情報と併せて活用することにより、サーバ４３にてゲート４４内の入場者の管理等に使用できる。
【００７２】
この場合の形状としては、図４（ａ）に示す如く筆記した名前を書く欄を備えた筆記領域６１を持つ表面と、図４（ｂ）に示す如く係止具を備えた筆記領域６１を持つ裏面と、その間にタグ６３が挟まっている構造である。
【００７３】
また、以上の例では、タグが取り付けられたタグ付き個人情報担体にバッチ４１として使用する場合で示したが、通信状態と価格適性が許すなら名刺をタグが取り付けられたタグ付き個人情報担体の実施例も考えられる。
【００７４】
【発明の効果】
請求項１記載の発明によれば、個人情報が入力されたタグが取りつけられたタグ付き個人情報担体と、読取りのための信号を送信し、タグ内の情報を読取る読取り部、読取った情報を表示する表示部及び電話回線に接続する電話部が一体化され、携帯可能なリーダとを備えるタグシステム。
【００７５】
多様な個人情報を入手することができ、その個人情報の性質やその秘密保持性と利用適性に適合した適切な個人情報管理を行なうことが可能となる。
【００７６】
請求項２記載の発明によれば、前記読取りのための信号が、周波数ホッピングされた信号であるため、混信や妨害に強く、トラブルの少なく、個人情報の管理性の高いシステムを提供することが可能となる。また、ブルートゥース対応の端末等、従来の端末を本システムに用いることも可能となる。
【００７７】
請求項３記載の発明によれば、電話回線で前記リーダと通信可能なサーバを備えることを特徴とするため、サーバにて集中して管理可能になり、高度な情報管理が可能になった。
【００７８】
請求項４記載の発明によれば、個人情報が入力されたタグが取りつけられたタグ付き個人情報担体であって、周波数ホッピングされた信号を受信した際に、受信後、所定時間経過後に少なくとも前記個人情報の一部を含む情報を送信するタグ付き個人情報担体であるため、安心して個人情報を通信可能な状態のタグとして利用できる様になったとともに、高度な情報サービスを個人対象として受けることが可能となる。
【図面の簡単な説明】
【図１】本発明のタグシステムの全体動作説明図である。
【図２】本発明のタグシステムにおける情報伝達の動作説明図である。
【図３】ゲートを用いた場合を示す動作説明図である。
【図４】個人情報担体の斜視図である。
【図５】本発明の来場管理システムで使用される非接触方式ＩＣタグの平面説明図である。
【図６】図５のＸ−Ｘ線断面説明図である。
【符号の説明】
１　　　　非接触方式ＩＣタグ
２　　　　アンテナ
３　　　　ＩＣ回路
４　　　　基材シート
５、６　　シート
２１　　　非接触方式ＩＣタグ
２２　　　アンテナ
２３　　　回路
２４　　　リーダ
２５　　　質問信号
２６　　　応答信号
２７　　　読取り部
２８　　　表示部
２９　　　電話部
３０　　　電話回線
３１　　　加入回線
３２　　　サーバ
３３　　　転送
３４　　　表示
４１　　　バッチ
４２　　　リーダ
４３　　　サーバ
４４　　　ゲート
５１　　　表示素子
【図１】
2004005202.tif 000003
【図２】
2004005202.tif 000004
【図３】
2004005202.tif 000005
【図４】
2004005202.tif 000006
【図５】
2004005202.tif 000007
【図６】
2004005202.tif 000008